(57)【要約】【課題】  臨時店舗などにおいても容易に利用することのできるクレジッドカード決済用カードリーダのレンタル事業における決済処理システムを提供する。【解決手段】  カードリーダに固有の端末識別情報とレンタル事業者に関する情報とを関連付けて管理するとともに、レンタル事業者からカードリーダの貸与を受けたレンタル端末利用者に関する情報、貸与期間情報並びに貸与したカードリーダの端末識別情報を関連付けて管理し、貸与されたカードリーダによるカード決済の所定の期間毎かつレンタル端末利用者毎の決済総額に所定のカード決済利用率を乗じることによりカード決済手数料を演算処理し、レンタル事業者に対して支払いを行うための帳票出力と、決済総額からカード決済手数料を差し引いた金額につきレンタル端末利用者に対して支払いを行うための帳票出力とを行う。【選択図】  図１
2005326912.tif 000002
【特許請求の範囲】
【請求項１】
カードリーダレンタル事業者が保有するカード決済用カードリーダに固有の端末識別情報とレンタル事業者に関する情報とを第１のデータベースで関連付けて管理するとともに、レンタル事業者から前記カードリーダの貸与を受けたレンタル端末利用者に関する情報、貸与期間情報並びに貸与したカードリーダの端末識別情報を第２のデータベースで関連付けて管理し、貸与されたカードリーダによるカード決済の所定の期間毎かつレンタル端末利用者毎の決済総額に所定のカード決済利用率を乗じることによりカード決済手数料を演算処理し、カード決済手数料のうち所定割合の金額をレンタル事業者に対して支払いを行うための帳票出力を第１のデータベースで管理される情報に基づいて行うとともに、前記決済総額からカード決済手数料を差し引いた金額につきレンタル端末利用者に対して支払いを行うための帳票出力を第２のデータベースで管理される情報に基づいて行うことを特徴とするカード決済用カードリーダのレンタル事業における決済処理方法。
【請求項２】
請求項１記載の決済処理方法において、前記カードリーダは、承認されたカード決済の際に、利用日時や決済識別情報などのその決済に関する決済情報と、各カード決済毎にユニークな文字列とが所定欄に印字された利用控えを出力することを特徴とするカード決済用カードリーダのレンタル事業における決済処理方法。
【請求項３】
請求項２記載の決済処理方法において、前記ユニークな文字列はくじ番号であり、出力された利用控えに印字されたユニークな文字列と、当該利用控えに係るカード決済を行ったカード利用者に関する情報とを第３のデータベースで関連付けて管理することを特徴とするカード決済用カードリーダのレンタル事業における決済処理方法。
【請求項４】
請求項２又は３記載の決済処理方法において、出力された利用控えに印字されたユニークな文字列はカードリーダが生成し、承認されたカード決済の際に、カードリーダが接続される決済処理サーバへカードリーダから前記ユニークな文字列を送信することを特徴とするカード決済用カードリーダのレンタル事業における決済処理方法。
【請求項５】
請求項２又は３記載の決済処理方法において、カードリーダが接続される決済処理サーバからカードリーダへ前記ユニークな文字列を送信することを特徴とするカード決済用カードリーダのレンタル事業における決済処理方法。
【請求項６】
カードリーダレンタル事業者が保有するカード決済用カードリーダに固有の端末識別情報とレンタル事業者に関する情報とを関連付けて管理する第１のデータベースと、レンタル事業者から前記カードリーダの貸与を受けたレンタル端末利用者に関する情報、貸与期間情報並びに貸与したカードリーダの端末識別情報を関連付けて管理する第２のデータベースと、貸与されたカードリーダによるカード決済の所定の期間毎かつレンタル端末利用者毎の決済総額に所定のカード決済利用率を乗じることによりカード決済手数料を演算処理するカード決済手数料演算処理装置と、カード決済手数料のうち所定割合の金額をレンタル事業者に対して支払いを行うための帳票出力を第１のデータベースで管理される情報に基づいて行う第１の帳票出力装置と、前記決済総額からカード決済手数料を差し引いた金額につきレンタル端末利用者に対して支払いを行うための帳票出力を第２のデータベースで管理される情報に基づいて行う第２の帳票出力装置とを備えることを特徴とするカード決済用カードリーダのレンタル事業における決済処理システム。
【請求項７】
請求項６記載の決済処理システムにおいて、前記カードリーダは、承認されたカード決済の際に、利用日時や決済識別情報などのその決済に関する決済情報と、各カード決済毎にユニークな文字列とが所定欄に印字された利用控えを出力する出力装置を備えることを特徴とするカード決済用カードリーダのレンタル事業における決済処理システム。
【請求項８】
請求項７記載の決済処理システムにおいて、前記ユニークな文字列はくじ番号であり、出力された利用控えに印字されたユニークな文字列と、当該利用控えに係るカード決済を行ったカード利用者に関する情報とを関連付けて管理する第３のデータベースをさらに備えることを特徴とするカード決済用カードリーダのレンタル事業における決済処理システム。
【請求項９】
請求項７又は８記載の決済処理システムにおいて、カードリーダが接続される決済処理サーバをさらに備え、カードリーダは、利用控えに印字されたユニークな文字列を生成する演算装置を備え、承認されたカード決済の際に、カードリーダが接続される決済処理サーバへカードリーダから前記ユニークな文字列が送信されることを特徴とするカード決済用カードリーダのレンタル事業における決済処理システム。
【請求項１０】
請求項７又は８記載の決済処理システムにおいて、カードリーダが接続される決済処理サーバをさらに備え、該サーバからカードリーダへ前記ユニークな文字列が送信されることを特徴とするカード決済用カードリーダのレンタル事業における決済処理システム。
【請求項１１】
カードリーダが、クレジットカード等のカードからデータを読み取り、この読み取ったデータをサーバに送信して、カード決済の承認をサーバから受けた際に利用控えを印刷するカードリーダにおける印刷方法であって、
カードリーダは、利用控えを印刷する際に、利用日時や利用金額などの一般印刷事項とともに、くじ番号を印刷することを特徴とする利用控え印刷方法。
【請求項１２】
請求項１１記載の印刷方法であって、
前記カードリーダは、前記印刷されるくじ番号として、利用日時や決済識別情報などのその決済に関する決済情報に基づいて、各カード決済毎にユニークな番号を付与することを特徴とする利用控え印刷方法。
【請求項１３】
請求項１１記載の印刷方法であって、
前記カードリーダは、サーバが利用日時や識別情報やその利用に関する認証識別情報等のデータに基づいて付与したユニークな番号を、前記くじ番号として印刷することを特徴とする利用控え印刷方法。
【請求項１４】
クレジットカード等のカードからデータを読み取り、この読み取ったデータをサーバに送信して、カード決済の承認を受けた際に利用控えを印刷するカードリーダであって、
利用控えを印刷する際に、利用日時や利用金額などの一般印刷事項とともに、くじ番号を印刷することを特徴とするカードリーダ。
【請求項１５】
請求項１４記載のカードリーダであって、
前記印刷されるくじ番号として、利用日時や決済識別情報などのその決済に関する決済情報に基づいて、各カード決済毎にユニークな番号を付与するように構成されていることを特徴とするカードリーダ。
【請求項１６】
請求項１４記載のカードリーダであって、
前記サーバが利用日時や決済識別情報などのその決済に関する決済情報に基づいて付与したユニークな番号を、前記くじ番号として印刷するように構成されていることを特徴とするカードリーダ。
【発明の詳細な説明】
【技術分野】
【０００１】
本願発明は、クレジットカード等のカード決済用カードリーダのレンタル事業における決済処理方法及びシステムに関する。
【背景技術】
【０００２】
近年、クレジットカードやデビッドカード等のカードが、その利便性により商品の売買等の商取引において幅広く利用されている。
【０００３】
この種のカードは、カード自体にカード所有者の所有者ＩＤが記憶されており、商取引を行う店舗においてはカードから所有者ＩＤを読み取るカードリーダが設置されている。そして、店舗が所有者のカードからカードリーダによって所有者ＩＤを読み取り、この所有者ＩＤをカード決済処理サーバに送信すると、サーバはカード決済が可能か否かを判断して、サーバからカード決済の承認を受けると、その利用に関する利用控えに利用日や金額等を印字することがなされていた。このような決済システムは、例えば、特開２００３−７６９２８号公報に開示されている。
【特許文献１】特開２００３−７６９２８号公報
【０００４】
しかるに、上記カードによる決済方法によれば、その商取引が行われる店舗にカードリーダが必要であるためめ、継続的に使用される店舗の場合において幅広く使用されているものの、一定期間のみに開催される展示会や見本市やイベント会場等において臨時で店舗を設置する場合には、カードリーダの設置の困難性によりカードによる決済方法が利用されていないのが現状である。このため、このような臨時店舗においては現金による取引によらざるを得ないケースが多く、現状のカード決済システムでは商取引における売上げ増に貢献できない。
【０００５】
また、イベント会場等においては抽選会等の催しがなされることがあるが、カード決済時の利用控えを抽選等に利用できれば、一層の売上げ向上に貢献できるが、現状のカード決済システムにはこのような仕組みは設けられていない。
【発明の開示】
【発明が解決しようとする課題】
【０００６】
そこで、本願発明は、上記事情に鑑みて創案されたもので、本願発明の課題は、臨時店舗などにおいても容易に利用することのできるカード決済用カードリーダのレンタル事業における決済処理方法及びシステムを提供することにある。
【課題を解決するための手段】
【０００７】
本願出願人は、上記課題を解決する手段として、下記の種々の発明を開示する。
【０００８】
即ち、本発明は、カードリーダレンタル事業者が保有するカード決済用カードリーダに固有の端末識別情報とレンタル事業者に関する情報とを第１のデータベースで関連付けて管理するとともに、レンタル事業者から前記カードリーダの貸与を受けたレンタル端末利用者に関する情報、貸与期間情報並びに貸与したカードリーダの端末識別情報を第２のデータベースで関連付けて管理し、貸与されたカードリーダによるカード決済の所定の期間毎かつレンタル端末利用者毎の決済総額に所定のカード決済利用率を乗じることによりカード決済手数料を演算処理し、カード決済手数料のうち所定割合の金額をレンタル端末取扱手数料としてレンタル事業者に対して支払いを行うための帳票出力を第１のデータベースで管理される情報に基づいて行うとともに、前記決済総額からカード決済手数料を差し引いた金額につきレンタル端末利用者に対して支払いを行うための帳票出力を第２のデータベースで管理される情報に基づいて行うことを特徴とするカード決済用カードリーダのレンタル事業における決済処理方法である。
【０００９】
上記本発明の決済処理方法において、前記カードリーダは、承認されたカード決済の際に、利用日時や決済識別情報などのその決済に関する決済情報と、各カード決済毎にユニークな文字列とが所定欄に印字された利用控えを出力することができる。これによれば、利用控えに印字されたユニークな文字列を利用して、くじなどの付加サービスを実施することができ、一層のカード利用の促進を図ることができる。そして、決済識別情報とは別にユニークな文字列を印字しているので、付加サービスを実施する際にユニークな文字列を公表してもカード決済を特定し得る個人情報が流出するおそれを防止できる。
【００１０】
さらに、前記ユニークな文字列はくじ番号であり、出力された利用控えに印字されたユニークな文字列と、当該利用控えに係るカード決済を行ったカード利用者に関する情報とを第３のデータベースで関連付けて管理することができる。これによれば、発行された利用控えに印字されたくじ番号が誰に付与されたかを把握することができ、事後的に当選者に対して当せん金や商品の発送等を行うことができる。
【００１１】
また、上記の出力された利用控えに印字されたユニークな文字列はカードリーダが生成し、承認されたカード決済の際に、カードリーダが接続される決済処理サーバへカードリーダから前記ユニークな文字列を送信してもよい。これによれば、サーバー側のシステム変更を最小限としつつ、カードリーダ側のプログラム変更により本願発明を実施でき、システム構築コストの低減を図ることができる。
【００１２】
また、上記のカードリーダが接続される決済処理サーバからカードリーダへ前記ユニークな文字列を送信してもよい。これによれば、ユニークな文字列の生成を決済処理サーバーで統一的に保守管理できる。
【００１３】
さらに、レンタル端末利用者に関する情報と、該利用者が出店するイベントに関する情報とを第４のデータベースで関連付けて管理することができる。これによれば、特定の博覧会や展覧会などのイベントに出店した店舗（端末利用者）においてカード決済を行ったカード利用者に対してのみ、くじなどの付加サービスを提供することができる。この場合、カード決済の承認の際に、第１及び第２のデータベースを参照して、特定のイベントに出店している店舗に貸与されたカードリーダでカード決済が行われる場合にのみ、利用控えに前記ユニークな文字列を印刷することが好ましい。
【００１４】
また、本発明は、カードリーダレンタル事業者が保有するカード決済用カードリーダに固有の端末識別情報とレンタル事業者に関する情報とを関連付けて管理する第１のデータベースと、レンタル事業者から前記カードリーダの貸与を受けたレンタル端末利用者に関する情報、貸与期間情報並びに貸与したカードリーダの端末識別情報を関連付けて管理する第２のデータベースと、貸与されたカードリーダによるカード決済の所定の期間毎かつレンタル端末利用者毎の決済総額に所定のカード決済利用率を乗じることによりカード決済手数料を演算処理するカード決済手数料演算処理装置と、カード決済手数料のうち所定割合の金額をレンタル端末取扱手数料としてレンタル事業者に対して支払いを行うための帳票出力を第１のデータベースで管理される情報に基づいて行う第１の帳票出力装置と、前記決済総額からカード決済手数料を差し引いた金額につきレンタル端末利用者に対して支払いを行うための帳票出力を第２のデータベースで管理される情報に基づいて行う第２の帳票出力装置とを備えることを特徴とするカード決済用カードリーダのレンタル事業における決済処理システムである。
【００１５】
上記本発明の決済処理システムにおいて、前記カードリーダは、承認されたカード決済の際に、利用日時や決済識別情報などのその決済に関する決済情報と、各カード決済毎にユニークな文字列とが所定欄に印字された利用控えを出力する出力装置を備えることができる。
【００１６】
さらに、前記ユニークな文字列はくじ番号であり、出力された利用控えに印字されたユニークな文字列と、当該利用控えに係るカード決済を行ったカード利用者に関する情報とを関連付けて管理する第３のデータベースをさらに備えていてもよい。
【００１７】
また、上記のカードリーダが接続される決済処理サーバをさらに備え、カードリーダは、利用控えに印字されたユニークな文字列を生成する演算装置を備え、承認されたカード決済の際に、カードリーダが接続される決済処理サーバへカードリーダから前記ユニークな文字列が送信されるように構成することができる。
【００１８】
また、上記カードリーダが接続される決済処理サーバをさらに備え、該サーバからカードリーダへ前記ユニークな文字列が送信されるように構成しても良い。
【００１９】
さらに、レンタル端末利用者に関する情報と、該利用者が出店するイベントに関する情報とを関連付けて管理する第４のデータベースをさらに備えることができる。
【００２０】
なお、前記ユニークな文字列は、カードの種別が異なれば重複するものであってもよく、カードの種別が異なってもユニークなものであってもよい。また、カード決済を行う端末が異なれば重複するものであってもよく、端末が異なってもユニークなものであってもよい。また、カード決済が行われるイベントが異なれば重複するものであってもよく、イベントが異なってもユニークなものであってもよい。その他、レンタル事業者やカード会社の目的に応じ、適宜の範囲でユニークなものであればよい。
【００２１】
また、本発明は、クレジットカード等のカードリーダを貸与し、該貸与されたカードリーダによりクレジットカード等のカードからデータを読み出し、カードリーダは、この読み出したデータおよび該カードリーダの端末識別情報を決済処理サーバに送信して、カード決済を行うことを特徴とするカード決済方法とすることができる。
【００２２】
該構成からなるカード決済方法によれば、店舗（レンタル端末利用者）は例えばイベント開催時期等の一定期間のみカードリーダの貸与を受けて、そのイベント開催時にカード決済による商取引を行うことが可能となる。
【００２３】
また、カードリーダから決済処理サーバにデータを送信し、送信されたデータに基づいてカード決済可能か否かを判断するカード決済方法であって、前記カードリーダは、クレジットカード等のカードからデータを読み出し、この読み出したデータおよび該カードリーダの端末識別情報を決済処理サーバに送信し、前記サーバは、そのカードの利用日に関するデートデータおよび前記送信された端末識別情報に基づいて、レンタル端末利用者となる利用店舗、その利用店舗の利用可能期間データ及びカードリーダの端末識別情報が対応付けられた利用店舗データテーブルから、前記データを送信した利用店舗を特定することを特徴とするカード決済方法がここに開示される。
【００２４】
該構成からなるカード決済方法によれば、たとえばイベント開催の三日間のみにカードリーダの貸与をレンタル端末利用者となる店舗に対して行った場合にあっても、サーバには端末利用者データテーブルにおいて、その端末利用者、利用可能期間およびカードリーダの識別情報が管理されていることにより、利用された店舗を特定することが可能となり、このため、一つのカードリーダにより日程の異なるイベントの各種店舗において利用することが可能となる。なお、ここで、「利用日に関するデートデータ」は、カードリーダ内のシステムクロック（カードリーダが送信した利用日）のデータによることも可能であり、また、サーバのシステムクロック（サーバがカードリーダから利用状況の送信を受けた日）のデータによることも可能である。
【００２５】
また、本願発明に係るカード決済方法は、カードリーダから決済処理サーバにデータを送信してカード決済を行うとともにカードリーダにより利用控えを印刷するカード決済方法であって、前記カードリーダは、利用控えを印刷する際に、利用日時や利用金額などの一般印刷事項とともに、くじ番号を印刷することもできる。
【００２６】
該構成からなるカード決済方法によれば、たとえばイベント開催時のみに、カード利用者に対するサービスとしてくじを行うことができ、カードの利用をより図ることができる。具体的には、たとえば一の店舗でイベント開催時のみに当選者に対して一定のサービスまたは景品を提供するように設けることが可能となる。なお、くじ番号とは、数字列から構成することも可能であり、またカナ、英文字等を含む文字列から構成することも可能であり、単に「当たり」とすることも可能である。また、たとえば前記くじ番号とともに店舗開催者のホームページアドレスを記載することも可能であり、当選の有無を該ホームページにより発表するように設けることも可能であり、これにより、その店舗のホームページのアクセスも高めることができるという利点を有する。なお、当選確認方法は、たとえば、サーバが有する利用者の住所情報等の連絡先の情報を用いて、その住所に直接景品を発送したり、その連絡先に通知する方法を採用することも可能である。
【００２７】
この場合、印刷されるくじ番号として、カードリーダが、利用日時や決済識別情報などのその利用に関する決済情報に基づいて、各カード決済毎にユニークな番号を付与する構成を採用することができる。
【００２８】
これにより、各カードリーダの設定によって各店舗において各種のくじを実施することができる。なお、かかる構成を採用した場合には、カード利用者や利用日時等の利用状況に関するデータとくじ番号とをカードリーダが記憶するように設けて、店舗側でそのデータを管理できるように設けることができ、さらに記憶したデータを外部記憶手段若しくは帳票に出力できるように構成することができる。
【００２９】
また、印刷されるくじ番号として、サーバが、利用日時や決済識別情報などのその利用に関する決済情報に基づいて、各カード決済毎にユニークな番号を付与して、カードリーダに送信する構成を採用することができる。
【００３０】
これにより、サーバにおいてくじ番号を利用状況とともに管理することができ、たとえば当選者への通知を行うことに利用することが可能となる。
【００３１】
また、本願発明に係るカード決済方法にあっては、カードリーダは、カードから読み出したデータ、該カードリーダの端末識別情報およびカード利用者のカード利用者識別情報をサーバに送信して、これらの送信されたデータをもとにサーバはカード決済を承認するか否かを判断する構成を採用することも可能である。さらに、端末利用者識別情報をカードリーダからサーバに送信して、この端末利用者識別情報と合わせてカード決済の承認を行うこともできる。なお、ここで、端末利用者識別情報としては、たとえばカードリーダにおいて入力操作されたデータを用いることができる。なお、この入力操作はカード決済の利用の都度行われるように設けることも、一度入力されたデータをカードリーダのメモリに記憶させておき、このメモリの端末利用者識別情報を随時利用することも可能である。
【００３２】
かかる構成を採用した場合には、サーバは端末利用者識別情報に基づいてその利用状況と店舗との関係を確実に把握することが可能となる。特に、既述のような利用店舗データテーブルを有する場合にあっては、その利用店舗データテーブルに該利用店舗識別情報を記憶させておくことにより、不正な端末利用を確実に排除することが可能となる。
【００３３】
また、本願発明において、カードリーダは決済処理サーバに有線若しくは無線の回線を介して直接接続されていてもよく、カードリーダと決済処理サーバとの間にセンターコンピュータを設けて、該センターコンピュータを中継してカードリーダと決済処理サーバとを接続してもよい。さらに、カード決済が行われる場合にセンターコンピュータから決済情報のデータの送信を受ける付加コンピュータを設けて、付加コンピュータに、カードの利用日に関するデートデータおよびカードリーダの端末識別情報に基づいて特定された端末利用者（利用店舗）に対してカード決済金額に関する送金処理を行うことも可能である。また、上記センターコンピュータが単なる中継基地にとどまらず、カード決済に関して重要な処理を行うものである場合、本発明の「決済処理サーバ」は、上記センターコンピュータを含むサーバー群からなるものとすることができる。このように、決済処理サーバは、単一のコンピュータからなるものであってもよく、複数のコンピュータによって構成されるものであってもよい。さらに、付加コンピュータが、カード決済に関して重要な処理を行うものである場合、本発明の「決済処理サーバ」は、上記付加コンピュータを含むものとすることができる。
【００３４】
これにより、たとえば付加コンピュータを管理する事業者がカード決済の承認日から早期（たとえば承認日から２日以内）に送金処理を行い、その後、決済処理サーバを管理するクレジットカード会社等からカード決済額につき送金を受けることもでき、このため、店舗にとってカード利用の利便性がより高まるという利点を有する。
【００３５】
また、本願発明に係るカード決済システムは、貸与されるカードリーダと、該カードリーダが接続される決済処理サーバとからなり、前記カードリーダは、クレジットカード等のカードからデータを読み出し、この読み出したデータおよびカードリーダの端末識別情報を決済処理サーバに送信するように構成されており、前記サーバは、送信されたデータを判断して、カード決済を承認するか否かを判断するように構成されていることを特徴とする。
【００３６】
該構成からなるカード決済システムによれば、カードリーダとして貸与されるものを用いるため、店舗は例えばイベント開催時期等の一定期間のみカードリーダの貸与を受けて、そのイベント開催時にカード決済による商取引を行うことが可能となる。
【００３７】
また、本願発明に係るカード決済システムは、クレジットカード等のカードからデータを読み出すカードリーダと、該カードリーダからデータを受ける決済処理サーバとを備え、サーバが、カードリーダから送信されたデータに基づいてカード決済を承認可能か否かを判断するカード決済システムであって、前記カードリーダは、サーバに、前記カードから読み出したデータとともに該カードリーダの端末識別情報を送信し、前記サーバは、端末利用者、その端末利用者の利用可能期間データ及びカードリーダの端末識別情報が対応付けられた端末利用者データテーブルを記憶した記憶手段を備え、該サーバは、そのカードの利用日に関するデートデータおよび前記カードリーダから送信された端末識別情報に基づいて、記憶手段の端末利用者データテーブルから、前記データを送信した端末利用者を特定する。
【００３８】
該構成からなるカード決済システムによれば、たとえばイベント開催の三日間のみに店舗（端末利用者）に対してカードリーダを貸与した場合にあっても、サーバは端末利用者データテーブルにおいて、その利用店舗、利用可能期間およびカードリーダの識別情報を管理でき、カード決済が利用された店舗を特定することが可能となり、このため、一つのカードリーダにより日程の異なる各種のイベントの各種店舗において利用することが可能となる。なお、ここで、「利用日に関するデートデータ」は、カードリーダのシステムクロック（カードリーダが送信した利用日）のデータによることも可能であり、また、サーバのシステムクロック（サーバがカードリーダから利用状況の送信を受けた日）のデータによることも可能であり、また、その他のネットワーク接続された時刻サーバのデータによることも可能である。
【００３９】
また、本願発明に係るカード決済システムは、クレジットカード等のカードからデータを読み出すカードリーダと、該カードリーダからデータを受けて、このデータに基づいてカード決済を承認可能か否かを判断する決済処理サーバとを備え、前記カードリーダは、カード決済を行うにあっては利用控えを印刷するように構成されているカード決済システムであって、前記カードリーダは、利用控えを印刷する際に、利用日時や利用金額などの一般印刷事項とともに、くじ番号を印刷するように構成されていることを特徴とする。
【００４０】
該構成からなるカード決済システムによれば、利用控えに印刷されたくじ番号を利用して、たとえばイベント開催時のみに、カード利用者に対するサービスとしてくじを行うことができ、カードの利用をより図ることができる。具体的には、たとえば一の店舗でイベント開催時のみに当選者に対して一定のサービスまたは景品を提供するように設けることが可能となる。なお、くじ番号とは、数字列から構成することも可能であり、またカナ、英文字等を含む文字列から構成することも可能であり、単に「当たり」とすることも可能である。また、たとえば前記くじ番号とともに店舗開催者のホームページアドレスを記載することも可能であり、当選の有無を該ホームページにより発表するように設けることも可能であり、これにより、その店舗のホームページのアクセスも高めることができるという利点を有する。なお、当選確認方法は、たとえば、サーバが有する利用者の住所情報等の連絡先の情報を用いて、その住所に直接景品を発送したり、その連絡先に通知する方法を採用することも可能である。
【００４１】
前記カードリーダは、利用日時や決済識別情報などのその利用に関する決済情報に基づいて、前記くじ番号として、ユニークな番号を付与するように構成することができる。
【００４２】
これにより、各カードリーダの設定によって各店舗において各種のくじを実施することができる。なお、かかる構成を採用した場合には、利用者や利用日時等の利用状況に関するデータとくじ番号とをカードリーダが記憶するように設けて、店舗側でそのデータを管理できるように設けることができ、さらに記憶したデータを外部記憶手段に出力されるように構成することができる。
【００４３】
また、前記サーバは、利用日時や決済識別情報などのその利用に関する決済情報に基づいて、前記くじ番号として、ユニークな番号を付与してカードリーダに送信するように構成することもできる。
【００４４】
これにより、サーバにおいてくじ番号をカード決済の利用状況とともに管理することができ、たとえば当選者への通知を行うことに利用することが可能となる。
【００４５】
また、カードリーダは、カードから読み出したデータ、該カードリーダの端末識別情報およびカード利用者のカード利用者識別情報をサーバに送信するように設けられており、前記サーバは、カードリーダから送信されたカードから読み出したデータ、該カードリーダの端末識別情報およびカード利用者のカード利用者識別情報をもとにカード決済を承認可能か否かを判断するように構成することもできる。
【００４６】
また、本願発明に係るカード決済方法又はシステムは、カードリーダによって、クレジットカード等のカードから読み出し送信されたデータに基づいて決済処理サーバがカード決済可能か否かを判断するカード決済方法又はシステムであって、前記サーバは、そのカードの利用日に関するデートデータおよび前記カードリーダから送信された該カードリーダの端末識別情報に基づいて、端末利用者、その端末利用者の利用可能期間データ及びカードリーダの端末識別情報が対応付けられた端末利用者データテーブルから、前記データを送信した端末利用者を特定する。
【００４７】
該構成によれば、たとえばイベント開催の三日間のみにカードリーダの貸与を店舗（端末利用者）に対して行った場合にあっても、サーバには端末利用者データテーブルにおいて、その端末利用者、利用可能期間およびカードリーダの端末識別情報が管理されていることにより、利用された店舗を特定することが可能となり、このため、一つのカードリーダにより日程の異なるイベントの各種店舗において利用することが可能となる。このため、店舗は例えばイベント開催時期等の一定期間のみカードリーダの貸与を受けて、そのイベント開催時にカード決済による商取引を行うことが容易に実行可能となる。
【００４８】
また、本願発明に係るカード決済方法又はシステムは、カードリーダによって、クレジットカード等のカードから読み出し送信されたデータに基づいてカード決済可能か否かを判断するカード決済方法又はシステムであって、前記サーバは、利用日時や決済識別情報などのその利用に決済情報に基づいて、各カード決済毎にユニークな番号を付与して、前記カードリーダに送信することを特徴とする。
【００４９】
該構成によれば、たとえばイベント開催時のみに、カード利用者に対するサービスとしてくじを行うことができ、カードの利用をより図ることができる。具体的には、たとえば一の店舗でイベント開催時のみに当選者に対して一定のサービスまたは景品を提供するように設けることが可能となる。なお、くじ番号とは、数字列から構成することも可能であり、またカナ、英文字等を含む文字列から構成することも可能であり、単に「当たり」とすることも可能である。また、たとえば前記くじ番号とともに店舗開催者のホームページアドレスを記載することも可能であり、当選の有無を該ホームページにより発表するように設けることも可能であり、これにより、その店舗のホームページのアクセスも高めることができるという利点を有する。なお、当選確認方法は、たとえば、サーバが有する利用者の住所情報等の連絡先の情報を用いて、その住所に直接景品を発送したり、その連絡先に通知する方法を採用することも可能である。また、サーバにおいてくじ番号を利用状況とともに管理することができ、上記した当選者への通知を行うことに利用することが可能となる。
【００５０】
また、本発明は、カードリーダが、クレジットカード等のカードからデータを読み取り、この読み取ったデータをサーバに送信して、カード決済の承認をサーバから受けた際に利用控えを印刷するカードリーダにおける印刷方法であって、カードリーダは、利用控えを印刷する際に、利用日時や利用金額などの一般印刷事項とともに、くじ番号を印刷することを特徴とするものである。
【００５１】
上記印刷方法において、前記カードリーダは、前記印刷されるくじ番号として、利用日時や決済識別情報などのその決済に関する決済情報に基づいて、各カード決済毎にユニークな番号を付与することができる。
【００５２】
また、上記印刷方法において、前記カードリーダは、サーバが利用日時や識別情報やその利用に関する認証識別情報等のデータに基づいて付与したユニークな番号を、前記くじ番号として印刷することも可能である。
【００５３】
また、本発明は、クレジットカード等のカードからデータを読み取り、この読み取ったデータをサーバに送信して、カード決済の承認を受けた際に利用控えを印刷するカードリーダであって、利用控えを印刷する際に、利用日時や利用金額などの一般印刷事項とともに、くじ番号を印刷することを特徴とするものである。
【００５４】
上記カードリーダにおいて、前記印刷されるくじ番号として、利用日時や決済識別情報などのその決済に関する決済情報に基づいて、各カード決済毎にユニークな番号を付与するように構成することができる。
【００５５】
また、上記カードリーダは、前記サーバが利用日時や決済識別情報などのその決済に関する決済情報に基づいて付与したユニークな番号を、前記くじ番号として印刷するように構成されていてもよい。
【発明を実施するための最良の形態】
【００５６】
本願発明の決済処理システムの基本構成は、例えば、特開２００３−７６９２８号公報に開示された決済システムと同様であるので、以下、本願発明に特有の構成について詳述する。
【００５７】
上記した本出願に係る各発明において、第１のデータベースと第２のデータベースとは、別個独立のデータベースシステムで管理されるものであってもよく、共通のデータベースシステムに混在して管理されるものであってもよい。これらデータベースシステムは、決済処理サーバ内に構築されていてもよく、該サーバーに接続された他のコンピュータに構築されていてもよい。また、これらデータベースは、クレジットカード会社等が管理するものであってもよく、クレジットカード会社等とカード決済金額に関する債権譲渡を受けた他の事業者が管理するものであってもよい。各データベースは、既存のリレーショナルデータベースシステムやｐｅｒｌ等の汎用ツールにより運用管理されるものであってもよく、本願発明の実施の為に特別に設計されたデータベースシステムを利用することもできる。
【００５８】
また、カード決済手数料の演算処理は、決済処理サーバによって行わせてもよく、他のコンピュータによって行うことも可能である。さらに、この演算処理は、クレジットカード会社が管理するコンピュータによって行ってもよく、他の事業者、例えば、カード決済金額につき債権譲渡を受けた事業者が管理するコンピュータによって行ってもよい。
【００５９】
また、「カード決済手数料」並びに「カード決済利用率」は、クレジットカード会社が定めるものであってもよく、クレジットカード会社からカード決済金額につき債権譲渡を受けた他の事業者が定めるものであってもよい。すなわち、「カード決済手数料」は、クレジットカード会社の売上金であってもよく、他の事業者の売上金であってもよい。また、「所定のカード決済利用率」は、決済金額の高低にかかわらず一定であってもよく、カード決済金額に応じて比率の異なる変動比率であってもよい。
【００６０】
また、カード決済手数料のうち所定割合の金額をレンタル端末取扱手数料としてレンタル事業者に対して支払いを行うための帳票出力は、前記カード決済手数料並びに所定割合のデータを管理若しくは受信するコンピュータやプリンターなどを備える第１の帳票出力装置により行うことができ、決済総額からカード決済手数料を差し引いた金額につきレンタル端末利用者に対して支払いを行うための帳票出力は、前記決済総額やカード決済手数料のデータを管理若しくは受信するコンピュータやプリンターなどを備える第２の帳票出力装置により行うことができ、これら第１の帳票出力装置と第２の帳票出力装置は共通の（単一の）帳票出力装置により構成してもよく、別個の帳票出力装置として構成することもできる。また、「レンタル端末事業者」が、レンタル事業以外の他のカード決済に対するサービスを行う場合は、「レンタル端末取扱手数料」には、当該他のサービスに係る手数料を含んでいてもよい。
【００６１】
カードリーダは、クレジット会社等が管理する決済処理サーバに接続されるものである。複数の決済処理サーバに選択的に接続可能としつつセキュリティを確保するために、決済処理サーバとカードリーダとを、情報処理センター等が管理するセンターコンピュータを介して間接的に接続することができる。
【００６２】
本願発明において、「決済識別情報」は、決済処理サーバ若しくはセンターコンピュータ、又は、その他のコンピュータにより生成され、決済処理サーバやセンターコンピュータを介してカードリーダに送信されるものであって、一般には、各カード決済毎にユニークな数字列からなる。この数字列は、一般に各カード会社を通じてユニークなものであるが、各カード会社毎にユニークであってもよく、その他適宜の範囲でユニークなものとすることができる。
【００６３】
上記第１の帳票出力装置と第２の帳票出力装置とは、共通の出力装置であってもよく、別個独立の帳票出力装置とすることもできる。この帳票出力装置は、典型的には印刷処理を行うコンピュータと、該コンピュータに接続されたプリンタ（好ましくはドットプリンタ）によって構成される。この帳票出力装置を構成するコンピュータは、決済処理サーバやセンターコンピュータであってもよく、決済処理サーバやセンターコンピュータにネットワーク接続された他のコンピュータであってもよく、また、スタンドアロンのコンピュータであってもよい。これら帳票出力装置によって出力される帳票は、レンタル事業者やレンタル端末利用者に支払いを行うという目的に合致するものであれば適宜のものであってよい。
【００６４】
以下、さらに本願発明の実施の形態をより具体的に説明する実施例を、図面に基づいて説明する。
【実施例１】
【００６５】
図１および図２は、本発明の第１の実施例を示し、図１は本願発明の実施例１の決済処理システムの全体構成の概略説明図である。また、図２及び図３は同実施例の決済処理システムにおいて使用されるデータベーステーブルの概要を説明するための説明図である。
【００６６】
まず、本実施例のシステムは、店舗などのレンタル端末利用者に貸し出されクレジットカードからデータを読み出すカード決済用カードリーダ１００と、該カードリーダ１００によってカード決済を行うためのサーバシステム２００とから構成されており、このサーバシステム２００はカードリーダ１００からデータを受け取り、その要求に応じて種々のデータをカードリーダ１００に送信する。ここで、店舗とは、本実施例としては主としてイベント会場等において臨時的に開設される仮設店舗を意図しているが、その他の常時営業を営む店舗にあっても本実施例は適用可能である。また、カードリーダ１００とサーバシステム２００とのデータの接受は、たとえば無線による方法を採用しているが、その他、電話回線等の有線による方法も採用可能である。
【００６７】
前記カードリーダ１００は、カードが通されることによりカードに磁気記録若しくはＩＣメモリに記憶されたデータを読み出すデータ読み出し部１１０と、テンキーのように押圧操作によりデータを入力可能な入力操作部１２０と、サーバ２００とのデータの送受を無線により行う送受信部（図示省略）と、サーバ２００からのデータや入力操作部１２０の入力データ等を表示するための表示部１３０と、カード決済時に利用控えに所望の印字を行う印字部（図示省略）と、各部に対して各種処理を指示するための処理部（図示省略）と、各種情報を記憶するための記憶部（図示省略）と、この記憶部に記憶されたデータを外部記憶手段（例えばメモリーカードやフレキシブルディスクなど）に出力可能な出力部（図示省略）を備えている。なお、処理部は、たとえば中央演算処理装置（ＣＰＵ）から構成することができる。
【００６８】
前記記憶部には、各カードリーダ１００固有のカードリーダＩＤ（識別情報）が記憶されている。また、データ読み出し部１１０によってカードからデータが読み出され、且つ、入力操作部１２０により金額が入力されると、前記接受部は、このカードのデータおよび金額とともに、サーバ２００に対して前記カードリーダＩＤを送信するように設けられている。
【００６９】
また、前記送受信部は、サーバ２００からカード決済の承認がなされた際に、その利用に関する認証識別番号（たとえば８〜１０桁の文字列）を受け取り、処理部は、この認証識別番号、利用日時等に基づいて、その利用に対してユニークな番号を付与する処理を行う。カードリーダ１００は、この付与したユニークな番号を、認証識別番号や利用日時等に対応付けて記憶部に記憶させている。
【００７０】
そして、カードリーダ１００の印字部は、上記のようにカード決済の利用が許可されると、利用日時や利用金額や認証識別番号や店舗名などの一般印刷事項とともに前記処理部が付与したユニークな番号を利用控えに印字（印刷）するように設けられている。なお、ここで印字（印刷）とは、インク等によって直接用紙に印字することのほか、たとえばカーボン用紙を含む多層積層された用紙における下層に対して前記カーボン用紙を利用して印字することも含む趣旨である。なお、上記したユニークな番号は、たとえば利用控えの「ご案内」の欄等に印字することができる。また、その商取引がなされたイベント名やその店舗のホームページアドレス等を印字することも可能である。
【００７１】
また、前記サーバ２００は、カードリーダ１００とデータの接受を行うセンターコンピュータ２１０、このセンターコンピュータ２１０とのデータの接受を行い各商取引においてカード決済の利用が可能か否かを判断するカード会社コンピュータ２２０、及び、カード決済が行われる場合にセンターコンピュータ２１０から利用状況のデータの送信を受ける中間コンピュータ２３０から構成されている。この各コンピュータ２１０，…は、ネットワークシステム等によってデータを接受を行うように設けられており、それぞれ処理手段や記憶手段等を有するものである（図示省略）。
【００７２】
前記各コンピュータ２１０，…の記憶手段には、利用店舗ＩＤ等の利用店舗に関する情報、その利用店舗がカードリーダ１００を利用可能な利用可能期間データ、及び、その利用店舗に対して貸与しているカードリーダＩＤが対応付けられた利用店舗データテーブルが記憶されている（図２参照）。
【００７３】
また、センターコンピュータ２１０は、カードリーダ１００からカードのデータと金額とカードリーダＩＤの送信を受けた際に、クレジット会社コンピュータ２２０に対してカード決済の利用の可否を打診するように設けられている。また、クレジット会社コンピュータ２２０は、上記打診を受けた際に、そのカードでのカード決済の利用が可能か否かをセンターコンピュータ２１０に回答するように設けられている。また、前記センターコンピュータ２１０は、前記回答結果をカードリーダ１００に送信するように設けられている。なお、この回答に際しては、クレジット会社コンピュータ２２０またはセンターコンピュータ２１０は、その利用に関する認証識別番号を付与し、前記回答に際してはこの認証識別番号も送信している。
【００７４】
さらに、センターコンピュータ２１０は、カード決済がなされた場合には、その利用日時、利用金額、使用したカードのデータ、カードリーダＩＤを、中間コンピュータ２３０に送信するように設けられている。そして、この送信を受けた中間コンピュータ２３０は、その利用日時およびカードリーダＩＤに基づいて、記憶手段の利用店舗データテーブルから利用店舗を特定する。なお、上記の利用店舗の特定は、クレジット会社コンピュータ２２０やセンターコンピュータ２１０において行うことも可能であり、たとえば、センターコンピュータ２１０において利用店舗を特定して、中間コンピュータ２３０やクレジット会社コンピュータ２２０に対して特定された利用店舗ＩＤを送信するように設けることも可能である。
【００７５】
また、前記中間コンピュータ２３０は、上記のように特定された利用店舗に対して利用料金に関する送金処理を行うように設けられており、また、クレジット会社コンピュータ２２０は、中間コンピュータ２３０に対してその利用料金に関する送金処理を行うように設けられている。
【００７６】
次に、上記システムによるカード決済方法について説明する。
【００７７】
まず、カードリーダ１００が店舗に貸与されることが決定すると、そのカードリーダＩＤ、利用可能期間、店舗に関する情報を、サーバ２００の記憶手段の利用店舗データテーブルに記憶させるために入力する。なお、この入力作業は、例えばクレジット会社コンピュータ２２０において行い、この入力されたデータをセンターコンピュータ２１０や中間コンピュータ２３０に送信するように設けることも可能である。
【００７８】
そして、カード決済を利用した商取引を開始する際には、まずカード所有者のカードから、データを店舗に貸与されているカードリーダ１００によって読み取る。そして、カードリーダ１００から、そのカードから読み取ったデータと、カードリーダＩＤと、利用金額とがサーバ２００（センターコンピュータ２１０）に送信される。
【００７９】
上記データを受けたサーバ２００（クレジット会社コンピュータ２２０）は、その商取引に際してカード決済が可能か否かを判断し、その判断結果は、カードリーダ１００に送信されることになる。
【００８０】
カード決済が可能な場合には、カードリーダ１００は、利用日時等に応じてその取引のユニークな番号を付与し、このユニークな番号を利用日時や利用金額などの一般印刷事項とともに利用控えに印字する。また、カードリーダ１００は、前記ユニークな番号を記憶部に記憶する。
【００８１】
また、サーバ２００においては、センターコンピュータ２１０が、カード決済がなされた日時、金額等のデータを、中間コンピュータ２３０に送信する。また、この送信を受けた中間コンピュータ２３０は、その利用日時およびカードリーダ１００の識別情報に基づいて、記憶手段の利用店舗データテーブルから利用店舗を特定する。そして、中間コンピュータ２３０は、上記のように特定された利用店舗に対して利用料金に関する送金処理を利用日時から二日程度で行う。また、クレジット会社コンピュータ２２０は、月末等において一定期間利用された金額の総額を算出して、その金額を中間コンピュータ２３０に対して送金処理を行う。
【００８２】
また、利用可能期間が満了した時や、一日の営業が終了した後に、カードリーダ１００の出力部から、前記したユニークな番号等のデータを外部記憶手段に出力する。そして、このユニークな番号をくじ番号として用いて、抽選を行うことができる。具体的には、たとえば、外部記憶手段に記憶されたユニークな番号のうち、一つまたは複数の当たり番号を店舗のホームアドレスに公開する等の方法を採用する。
【実施例２】
【００８３】
次に、本願発明の実施例２について図３を参酌しつつ説明する。なお、図３は本願発明の実施例２のカード決済システムの全体構成の概略説明図である。なお、実施例１と同一構成、機能を有する部分についてはその詳細説明を省略する。
【００８４】
まず、実施例２のシステムは、サーバ２００が、実施例１のセンターコンピュータ２１０およびクレジット会社コンピュータ２２０のほかカードリーダレンタルコンピュータ２４０を備えている。ここで、カードリーダレンタルコンピュータ２４０は、処理手段および記憶手段を有し、該記憶手段には、前記利用店舗データテーブルが記憶されている。
【００８５】
前記カードリーダレンタルコンピュータ２４０は、カード決済がなされた場合には、その利用日時、利用金額、使用したカードのデータ、カードリーダＩＤを、センターコンピュータ２１０から受け取るように設けられている。また、クレジット会社コンピュータ２２０は、利用店舗に対して利用料金に関する送金処理を行うとともに、カードリーダレンタルコンピュータ２４０に対しても利用料金に関する送金処理を行う。これにより、たとえばカードリーダレンタルコンピュータ２４０の利用に応じての課金が可能となり、貸与の初期費用を安く設定することができ、このため、利用店舗にとってカードリーダ１００の貸与に対するリスクを軽減することができる。
【実施例３】
【００８６】
次に、本願発明の実施例３について説明する。なお、実施例３のカード決済システムの全体構成は、実施例１と略同様なので図示を省略する。また、実施例１と同一構成、機能を有する部分についてはその詳細説明を省略する。
【００８７】
実施例３のシステムにあっては、各利用に対するユニークな番号を、サーバ２００が付与するように設けられている。具体的には、たとえばカード決済が利用される際に、センターコンピュータ２１０が前記ユニークな番号を付与するとともにカードリーダ１００に送信し、カードリーダ１００は、この送信を受けたユニークな番号を記憶部に記憶するとともに、印字部によって利用控えに印字するように設けられている。
【００８８】
この場合には、当選の発表として、たとえばクレジット会社から定期的に郵送される利用明細等にその当選発表に関する情報を含めたり、景品を同封することも可能である。
【実施例４】
【００８９】
次に、本願発明の実施例４について説明する。なお、実施例３のカード決済システムの全体構成は、実施例１と略同様なので図示を省略する。また、実施例１と同一構成、機能を有する部分についてはその詳細説明を省略する。
【００９０】
実施例４のシステムは、サーバ２００の記憶手段の利用店舗データテーブルには、利用店舗識別情報が記憶されている。ここで、利用店舗識別情報としては、利用店舗ＩＤをそのまま利用することも可能であるが、別途数字列からなるパスワードとすることが好ましい。
【００９１】
また、カードリーダ１００は、サーバ２００に対して前記のように利用料金やカードリーダＩＤ等を送信するに際して、前記利用店舗識別情報の入力を要求するように設けられている。具体的には、送信実行する際に表示部１３０にパスワードの入力を促す画面が表示されるように設けられている。なお、一定時間（例えば一時間）以内に再度利用される場合には、かかる入力を促す画面の表示を行わずに、記憶部に記憶された利用店舗識別情報を送信するように設けることも可能である。
【００９２】
また、カードリーダＩＤや利用店舗識別情報の送信を受けたサーバ２００は、利用店舗端末データテーブルにより、その利用店舗端末情報が正当であるか否かを判断して、正当でない場合にはその処理を中止するように設けられている。このため、カードリーダ１００の不正使用を未然に防止することができる。
【００９３】
なお、前記利用店舗識別情報は、一つの店舗に複数持たせて、各担当者が利用店舗識別情報を有するように設けることも可能であり、これにより、店舗側において各担当者の管理を行うこともできる。
【００９４】
なお、本願発明は上記各実施例に限定されるものではなく、本願発明の意図する範囲内において適宜設計変更可能である。つまり、たとえば実施例１のサーバ２００に実施例２のカードリーダレンタルコンピュータ２４０を備えたものも本願発明の意図する範囲内である。
【００９５】
また、上記各実施例においてはクレジットカードによるカード決済についてのみ説明したが、その他デビィドカードによるカード決済にあっても本願発明は適用可能である。
【図面の簡単な説明】
【００９６】
【図１】本願発明の実施例１のカード決済システムの全体構成の概略説明図である。
【図２】同実施例のサーバにおける利用店舗データテーブルの概要を説明するための説明図である。
【図３】本願発明の実施例２のカード決済システムの全体構成の概略説明図である。
【符号の説明】
【００９７】
１００  カードリーダ
１１０  読み出し部
１２０  入力操作部
１３０  表示部
２００  サーバ
２１０  センターコンピュータ（第一コンピュータ）
２２０  クレジット会社コンピュータ（第二コンピュータ）
２３０  中間コンピュータ（第三コンピュータ）
２４０  カードリーダレンタルコンピュータ
【図１】
2005326912.tif 000003
【図２】
2005326912.tif 000004
【図３】
2005326912.tif 000005